(57)【要約】【課題】複数のブロックを互いに接続して構成される象形体の表現の幅を広げることができるブロック玩具を提供する。【解決手段】組ブロック玩具１は、複数のブロック２，３を備え、前記各ブロックは、互いに分離せず且つ相対移動可能に連結された複数の構成片を含み、これら複数の構成片の相対移動によって、文字の形状を呈する第１形態と該第１形態とは異なる第２形態との間で変形可能に構成されており、前記複数のブロック２，３には、前記第２形態にある場合に互いに接続可能な第２形態接続部１３，３６がそれぞれ設けられている。【選択図】図１
2014233506.tif 000002
【特許請求の範囲】
【請求項１】
複数のブロックを備え、
前記各ブロックは、互いに分離せず且つ相対移動可能に連結された複数の構成片を含み、これら複数の構成片の相対移動によって、文字の形状を呈する第１形態と該第１形態とは異なる第２形態との間で変形可能に構成されており、
前記複数のブロックには、前記第２形態にある場合に互いに接続可能な第２形態接続部がそれぞれ設けられているブロック玩具。
【請求項２】
請求項１に記載のブロック玩具であって、
それぞれ前記第２形態にある前記複数のブロックが、各々の前記第２形態接続部で互いに接続されることにより、所定の象形体が表出されるブロック玩具。
【請求項３】
請求項２に記載のブロック玩具であって、
前記複数のブロックには、前記第１形態にある場合に互いに接続可能な第１形態接続部がそれぞれ設けられているブロック玩具。
【請求項４】
請求項３に記載のブロック玩具であって、
それぞれ前記第１形態にある前記複数のブロックが、各々の前記第１形態接続部で互いに接続されることにより、前記象形体としてかたどられた物の名称を示す文字列が表出されるブロック玩具。
【請求項５】
請求項２に記載のブロック玩具であって、
それぞれ前記第１形態にある前記複数のブロックを所定の順列に並べることにより、前記象形体の名称を示す文字列が表出されるブロック玩具。
【請求項６】
請求項１から５のいずれか一項に記載のブロック玩具であって、
前記第２形態接続部は、凹部、又は該凹部に嵌合する凸部であるブロック玩具。
【請求項７】
請求項３又は４に記載のブロック玩具であって、
前記第１形態接続部は、凹部、又は該凹部に嵌合する凸部であるブロック玩具。
【請求項８】
請求項７に記載のブロック玩具において、
前記第１形態接続部の凸部は、長細い突起であり、前記凹部は、前記長細い突起に嵌合する開口部であるブロック玩具。
【請求項９】
請求項２から５のいずれか一項に記載のブロック玩具であって、
前記象形体は、生物をかたどったものであるブロック玩具。
【請求項１０】
請求項１から９のいずれか一項に記載のブロック玩具であって、
前記各ブロックが前記第１形態にある場合に呈する文字の形状は、片仮名文字の形状であるブロック玩具。
【請求項１１】
請求項１から１０のいずれか一項に記載のブロック玩具であって、
前記複数のブロックの少なくとも１つは、前記第１形態にある場合に呈する文字において本来なら離れて表現される部分に相当する箇所が、前記ブロックを構成する他の部分よりも薄く形成されているブロック玩具。
【発明の詳細な説明】
【技術分野】
【０００１】
本発明は、ブロック玩具に関する。
【背景技術】
【０００２】
複数のブロックを備え、これらのブロックが互いに接続されることにより、所定の象形体が表出されるように構成された組ブロック玩具が知られている（特許文献１参照）。
【０００３】
特許文献１に記載された組ブロック玩具は、アルファベットの「Ｒ」、「Ａ」、「Ｂ」、「Ｂ」、「Ｉ」、「Ｔ」の形状をそれぞれ呈する複数のブロックを備え、これらのブロックが互いに接続されることにより、うさぎをかたどった象形体が表出されるように構成されており、そして、これらのブロックを所定の順に並べることによって、象形体（うさぎ）の名称を示す文字列「ＲＡＢＢＩＴ」が表出されるようになっている。
【先行技術文献】
【特許文献】
【０００４】
【特許文献１】特開２００４−１８１０２６号公報
【発明の概要】
【発明が解決しようとする課題】
【０００５】
特許文献１に記載された組ブロック玩具では、各ブロックの形態が不変であり、これらのブロックを互いに接続して構成される象形体の表現の幅が限られる。
【０００６】
本発明は、上述した事情に鑑みなされたものであり、複数のブロックを互いに接続して構成される象形体の表現の幅を広げることができるブロック玩具を提供することを目的とする。
【課題を解決するための手段】
【０００７】
本発明に係るブロック玩具は、複数のブロックを備え、前記各ブロックは、互いに分離せず且つ相対移動可能に連結された複数の構成片を含み、これら複数の構成片の相対移動によって、文字の形状を呈する第１形態と該第１形態とは異なる第２形態との間で変形可能に構成されており、前記複数のブロックには、前記第２形態にある場合に互いに接続可能な第２形態接続部がそれぞれ設けられている。
【０００８】
また、本発明に係るブロック玩具においては、それぞれ前記第２形態にある前記複数のブロックが、各々の前記第２形態接続部で互いに接続されることにより、所定の象形体が表出されるようにしてもよい。
【０００９】
また、本発明に係るブロック玩具においては、前記複数のブロックに、前記第１形態にある場合に互いに接続可能な第１形態接続部がそれぞれ設けられていてもよい。
【００１０】
また、本発明に係るブロック玩具においては、それぞれ前記第１形態にある前記複数のブロックが、各々の前記第１形態接続部で互いに接続されることにより、前記象形体としてかたどられた物の名称を示す文字列が表出されるようにしてもよい。
【００１１】
また、本発明に係るブロック玩具においては、それぞれ前記第１形態にある前記複数のブロックを所定の順列に並べることにより、前記象形体の名称を示す文字列が表出されるようにしてもよい。
【００１２】
また、本発明に係るブロック玩具においては、前記第２形態接続部は、凹部、又は該凹部に嵌合する凸部としてもよい。
【００１３】
また、本発明に係るブロック玩具においては、前記第１形態接続部は、凹部、又は該凹部に嵌合する凸部としてもよい。また、前記第１形態接続部の凸部は、長細い突起であり、前記凹部は、前記長細い突起に嵌合する開口部としてもよい。
【００１４】
また、本発明に係るブロック玩具においては、前記象形体は、生物をかたどったものとしてもよい。
【００１５】
また、本発明に係るブロック玩具においては、前記各ブロックが前記第１形態にある場合に呈する文字の形状は、片仮名文字の形状としてもよい。
【００１６】
また、本発明に係るブロック玩具においては、前記複数のブロックの少なくとも１つは、前記第１形態にある場合に呈する文字において本来なら離れて表現される部分に相当する箇所が、前記ブロックを構成する他の部分よりも薄く形成されていてもよい。
【発明の効果】
【００１７】
本発明によれば、各ブロックが文字の形状を呈する第１形態と第１形態とは異なる第２形態との間で変形可能であり、複数のブロックを互いに接続して構成される象形体の表現の幅を広げることができる。そして、各ブロックの第１形態及び第２形態の間の変形は、互いに連結された複数の構成片が分離しない状態で相対移動することによってなされ、取り扱いが容易であり、構成片の紛失も防止することができる。
【図面の簡単な説明】
【００１８】
【図１】本発明の実施形態を説明するための組ブロック玩具の一例を示す図であり、（Ａ）は正面図、（Ｂ）は背面図、（Ｃ）は左側面図、（Ｄ）は右側面図、（Ｅ）は平面図、（Ｆ）は底面図であり、（Ｇ）は斜視図である。
【図２】図１の組ブロック玩具の第１ブロックを示す図であり、（Ａ）は正面図、（Ｂ）は背面図、（Ｃ）は左側面図、（Ｄ）は右側面図、（Ｅ）は平面図、（Ｆ）は底面図であり、（Ｇ）は斜視図である。
【図３】図１の組ブロック玩具の第２ブロックを示す図であり、（Ａ）は正面図、（Ｂ）は背面図、（Ｃ）は左側面図、（Ｄ）は右側面図、（Ｅ）は平面図、（Ｆ）は底面図であり、（Ｇ）は斜視図である。
【図４】図１の組ブロック玩具の変化した状態を示す図であり、（Ａ）は正面図、（Ｂ）は背面図、（Ｃ）は左側面図、（Ｄ）は右側面図、（Ｅ）は平面図、（Ｆ）は底面図であり、（Ｇ）は斜視図である。
【図５】本発明の実施形態を説明するための組ブロック玩具の他の例を示す図であり、（Ａ）は正面図、（Ｂ）は背面図、（Ｃ）は左側面図、（Ｄ）は右側面図、（Ｅ）は平面図、（Ｆ）は底面図であり、（Ｇ）は斜視図である。
【図６】図５の組ブロック玩具の第１ブロックを示す図であり、（Ａ）は正面図、（Ｂ）は背面図、（Ｃ）は左側面図、（Ｄ）は右側面図、（Ｅ）は平面図、（Ｆ）は底面図であり、（Ｇ）は斜視図である。
【図７】図５の組ブロック玩具の第２ブロックを示す図であり、（Ａ）は正面図、（Ｂ）は背面図、（Ｃ）は左側面図、（Ｄ）は右側面図、（Ｅ）は平面図、（Ｆ）は底面図であり、（Ｇ）は斜視図である。
【図８】図５の組ブロック玩具の変化した状態を示す図であり、（Ａ）は正面図、（Ｂ）は背面図、（Ｃ）は左側面図、（Ｄ）は右側面図、（Ｅ）は平面図、（Ｆ）は底面図であり、（Ｇ）は斜視図である。
【図９】本発明の実施形態を説明するための組ブロック玩具の他の例を示す図であり、（Ａ）は正面図、（Ｂ）は背面図、（Ｃ）は左側面図、（Ｄ）は右側面図、（Ｅ）は平面図、（Ｆ）は底面図であり、（Ｇ）は斜視図である。
【図１０】図９の組ブロック玩具の第１ブロックを示す図であり、（Ａ）は正面図、（Ｂ）は背面図、（Ｃ）は左側面図、（Ｄ）は右側面図、（Ｅ）は平面図、（Ｆ）は底面図であり、（Ｇ）は斜視図である。
【図１１】図９の組ブロック玩具の第２ブロックを示す図であり、（Ａ）は正面図、（Ｂ）は背面図、（Ｃ）は左側面図、（Ｄ）は右側面図、（Ｅ）は平面図、（Ｆ）は底面図であり、（Ｇ）は斜視図である。
【図１２】図９の組ブロック玩具の変化した状態を示す図であり、（Ａ）は正面図、（Ｂ）は背面図、（Ｃ）は左側面図、（Ｄ）は右側面図、（Ｅ）は平面図、（Ｆ）は底面図であり、（Ｇ）は斜視図である。
【図１３】本発明の実施形態を説明するための組ブロック玩具の他の例を示す図であり、（Ａ）は正面図、（Ｂ）は背面図、（Ｃ）は左側面図、（Ｄ）は右側面図、（Ｅ）は平面図、（Ｆ）は底面図であり、（Ｇ）は斜視図である。
【図１４】図１３の組ブロック玩具の第１ブロックを示す図であり、（Ａ）は正面図、（Ｂ）は背面図、（Ｃ）は左側面図、（Ｄ）は右側面図、（Ｅ）は平面図、（Ｆ）は底面図であり、（Ｇ）は斜視図である。
【図１５】図１３の組ブロック玩具の第２ブロックを示す図であり、（Ａ）は正面図、（Ｂ）は背面図、（Ｃ）は左側面図、（Ｄ）は右側面図、（Ｅ）は平面図、（Ｆ）は底面図であり、（Ｇ）は斜視図である。
【図１６】図１３の組ブロック玩具の変化した状態を示す図であり、（Ａ）は正面図、（Ｂ）は背面図、（Ｃ）は左側面図、（Ｄ）は右側面図、（Ｅ）は平面図、（Ｆ）は底面図であり、（Ｇ）は斜視図である。
【図１７】本発明の実施形態を説明するための組ブロック玩具の他の例を示す図であり、（Ａ）は正面図、（Ｂ）は背面図、（Ｃ）は左側面図、（Ｄ）は右側面図、（Ｅ）は平面図、（Ｆ）は底面図であり、（Ｇ）は斜視図である。
【図１８】図１７の組ブロック玩具の第１ブロックを示す図であり、（Ａ）は正面図、（Ｂ）は背面図、（Ｃ）は左側面図、（Ｄ）は右側面図、（Ｅ）は平面図、（Ｆ）は底面図であり、（Ｇ）は斜視図である。
【図１９】図１７の組ブロック玩具の第２ブロックを示す図であり、（Ａ）は正面図、（Ｂ）は背面図、（Ｃ）は左側面図、（Ｄ）は右側面図、（Ｅ）は平面図、（Ｆ）は底面図であり、（Ｇ）は斜視図である。
【図２０】図１７の組ブロック玩具の変化した状態を示す図であり、（Ａ）は正面図、（Ｂ）は背面図、（Ｃ）は左側面図、（Ｄ）は右側面図、（Ｅ）は平面図、（Ｆ）は底面図であり、（Ｇ）は斜視図である。
【発明を実施するための形態】
【００１９】
図１から図４は、本発明の実施形態を説明するための組ブロック玩具の一例を示す。
【００２０】
図１に示す組ブロック玩具１は、扁平な第１ブロック２及び第２ブロック３を備えている。第１ブロック２は、正面視で片仮名文字の「ヘ」の形状を呈しており、第２ブロック３は、正面視で片仮名文字の「ビ」の形状を呈している。第１ブロック２及び第２ブロック３が、この順に左横書き方向に並べられた際には、文字列「ヘビ」が表出される。
【００２１】
図２に示すように、第１ブロック２は、厚み方向に第１ブロック２を二分する面に関して略対称をなす４つの構成片１０ａ，１０ｂ，１１ａ，１１ｂからなり、対をなす構成片１０ａ，１０ｂは互いに一体に組み付けられて単一の要素１０を構成しており、同じく対をなす構成片１１ａ，１１ｂもまた単一の要素１１を構成している。
【００２２】
要素１１は、要素１０の構成片１０ａ，１０ｂに挟まれるようにして要素１０に組み付けられ、要素１０に設けられた軸部に係合し、分離不能に且つこの軸部の中心線２０を中心に回転可能に要素１０に連結されている。
【００２３】
第１ブロック２は、以上の各構成片の相対移動（回転）を伴って、「ヘ」の形状を呈する第１形態から、図４に示す第２形態に変化する。第１形態にある第１ブロック２において、文字列「ヘビ」が表出されるように第１ブロック２及び第２ブロック３が左横書き方向に並べられた際に第２ブロック３に面する要素１０の露呈した側面には、第１形態接続部としての凸部１２が設けられている。また、要素１０の所定の箇所には、第２ブロック３と接続される第２形態接続部としての凹部１３が設けられている。
【００２４】
図３に示すように、第２ブロック３は、厚み方向に第２ブロック３を二分する面に関して略対称をなす８つの構成片３０ａ，３０ｂ，３１ａ，３１ｂ，３２ａ，３２ｂ，３３ａ，３３ｂ、及び構成片３４からなり、対をなす構成片３０ａ，３０ｂは互いに一体に組み付けられて単一の要素３０を構成しており、同じく対をなす構成片３１ａ，３１ｂ、対をなす構成片３２ａ，３２ｂ、及び対をなす構成片３３ａ，３３ｂもまた、単一の要素３１，３２，３３をそれぞれ構成している。
【００２５】
要素３１の構成片３１ａ，３１ｂは、要素３０を挟むようにして要素３０に組み付けられ、要素３０に設けられた軸部に係合し、分離不能に且つこの軸部の中心線４０を中心に回転可能に要素３０に連結されている。要素３２の構成片３２ａ，３２ｂは、要素３０を挟むようにして要素３０に組み付けられ、要素３０に設けられた軸部に係合し、分離不能に且つこの軸部の中心線４１を中心に回転可能に要素３０に連結されている。要素３３は、要素３１の構成片３１ａ，３１ｂに挟まれるようにして要素３１に組み付けられ、要素３１に設けられた軸部に係合し、分離不能に且つこの軸部の中心線４２を中心に回転可能に要素３１に連結されている。構成片３４は、要素３２の構成片３２ａ，３２ｂに挟まれるようにして要素３２に組み付けられ、要素３２に設けられた軸部に係合し、分離不能に且つこの軸部の中心線４３を中心に回転可能に要素３２に連結されている。
【００２６】
第２ブロック３は、以上の各構成片の相対移動（回転）を伴って、「ビ」の形状を呈する第１形態から、図４に示す第２形態に変化する。第１形態にある第２ブロック３において、文字列「ヘビ」が表出されるように第１ブロック２及び第２ブロック３が左横書き方向に並べられた際に第１ブロック２に面する要素３０の露呈した側面には、第１ブロック２の凸部１２に嵌合する第１形態接続部としての凹部３５が設けられている。また、構成片３４の所定の箇所には、第１ブロック２の凹部１３に嵌合する第２形態接続部としての凸部３６が設けられている。
【００２７】
図４に示すように、第１ブロック２及び第２ブロック３がそれぞれ第２形態にある状態で、第１ブロック２の凹部１３と第２ブロック３の凸部３６とが嵌合され、第１ブロック２及び第２ブロック３が互いに接続されることにより、象形体４が構成される。この象形体４は、それぞれ第１形態にある第１ブロック２及び第２ブロック３が各々の第１形態接続部（凸部１２、凹部３５）を介して接続された際に表出される文字列「ヘビ」で示される生物をかたどったものとなっている。
【００２８】
このように、組ブロック玩具１によれば、各ブロック２，３が文字の形状を呈する第１形態と第１形態とは異なる第２形態との間で変形可能であり、両ブロック２，３を互いに接続して構成される象形体４の表現の幅を広げることができる。そして、各ブロック２，３の第１形態及び第２形態の間の変形は、互いに分離不能に連結された複数の構成片の相対移動によってなされ、取り扱いが容易であり、構成片の紛失も防止することができる。
【００２９】
なお、第１形態接続部としての凸部１２は長細い突起であり、凹部３５は長細い突起である凸部１２に嵌合する開口部であることが好ましい。これによれば、凸部１２及び凹部３５を嵌合させることによって、第１形態にある両ブロック２，３の向きも含めて両ブロック２，３を適切に位置決めすることができ、文字列「ヘビ」が自ずと表出される。
【００３０】
また、第２形態接続部としての凹部１３は球状であり、凸部３６は球状の凹部１３に嵌合する開口部であることが好ましい。これによれば、凹部１３及び凸部３６によって接続された両ブロック２，３を回転させることが可能となり、第２形態にある両ブロック２，３の向きを変えて象形体４の形状を調整することができる。
【００３１】
図５から図８は、本発明の実施形態を説明するための組ブロック玩具の他の例を示す。
【００３２】
図５に示す組ブロック玩具１０１は、扁平な第１ブロック１０２及び第２ブロック１０３を備えている。第１ブロック１０２は、正面視で片仮名文字の「サ」の形状を呈しており、第２ブロック１０３は、正面視で片仮名文字の「ル」の形状を呈している。第１ブロック１０２及び第２ブロック１０３が、この順に左横書き方向に並べられた際には、文字列「サル」が表出される。
【００３３】
図６に示すように、第１ブロック１０２は、厚み方向に第１ブロック１０２を二分する面に関して略対称をなす８つの構成片１１０ａ，１１０ｂ，１１１ａ，１１１ｂ，１１２ａ，１１２ｂ，１１３ａ，１１３ｂからなり、対をなす構成片１１０ａ，１１０ｂは互いに一体に組み付けられて単一の要素１１０を構成しており、同じく対をなす構成片１１１ａ，１１１ｂもまた単一の要素１１１を構成している。
【００３４】
要素１１１は、要素１１０の構成片１１０ａ，１１０ｂに挟まれるようにして要素１１０に組み付けられ、要素１１０に設けられた軸部に係合し、分離不能に且つこの軸部の中心線１２０を中心に回転可能に要素１１０に連結されている。構成片１１２ａは、要素１１１の構成片１１１ａに設けられた軸部に係合し、分離不能に且つこの軸部の中心線１２１ａを中心に回転可能に構成片１１１ａに連結されており、構成片１１２ｂは、要素１１１の構成片１１１ｂに設けられた軸部に係合し、分離不能に且つこの軸部の中心線１２１ｂを中心に回転可能に構成片１１１ｂに連結されている。そして、構成片１１３ａは、構成片１１２ａに設けられた軸部に係合し、分離不能に且つこの軸部の中心線１２２ａを中心に回転可能に構成片１１２ａに連結されており、構成片１１３ｂは、構成片１１２ｂに設けられた軸部に係合し、分離不能に且つこの軸部の中心線１２２ｂを中心に回転可能に構成片１１２ｂに連結されている。
【００３５】
第１ブロック１０２は、以上の各構成片の相対移動（回転）を伴って、「サ」の形状を呈する第１形態から、図８に示す第２形態に変化する。第１形態にある第１ブロック１０２において、文字列「サル」が表出されるように第１ブロック１０２及び第２ブロック１０３が左横書き方向に並べられた際に第２ブロック１０３に面する要素１１１の露呈した側面には、第１形態接続部としての凹部１１４が設けられている。また、要素１１０の所定の箇所には、第２ブロック１０３と接続される第２形態接続部としての凹部１１５が設けられている。
【００３６】
図７に示すように、第２ブロック１０３は、厚み方向に第２ブロック１０３を二分する面に関して略対称をなす６つの構成片１３０ａ，１３０ｂ，１３１ａ，１３１ｂ，１３２ａ，１３２ｂ、及び構成片１３３からなり、対をなす構成片１３０ａ，１３０ｂは互いに一体に組み付けられて単一の要素１３０を構成しており、同じく対をなす構成片１３１ａ，１３１ｂ、及び対をなす構成片１３２ａ，１３２ｂもまた、単一の要素１３１，１３２をそれぞれ構成している。
【００３７】
要素１３１の構成片１３１ａ，１３１ｂは、要素１３０を挟むようにして要素１３０に組み付けられ、要素１３０に設けられた軸部に係合し、分離不能に且つこの軸部の中心線１４０を中心に回転可能に要素１３０に連結されている。要素１３２は、構成片１３３を介して要素１３０に接続されており、構成片１３３は、要素１３０の構成片１３０ａ，１３０ｂに挟まれるようにして要素１３０に組み付けられ、要素１３０に設けられた軸部に係合し、分離不能に且つこの軸部の中心線１４１を中心に回転可能に要素１３０に連結されている。そして、要素１３２の構成片１３２ａ，１３２ｂは、構成片１３３を挟むようにして構成片１３３に組み付けられ、構成片１３３に設けられた軸部に係合し、分離不能に且つこの軸部の中心線１４２を中心に回転可能に構成片１３３に連結されている。
【００３８】
第２ブロック１０３は、以上の各構成片の相対移動（回転）を伴って、「ル」の形状を呈する第１形態から、図８に示す第２形態に変化する。第１形態にある第２ブロック１０３において、文字列「サル」が表出されるように第１ブロック１０２及び第２ブロック１０３が左横書き方向に並べられた際に第１ブロック１０２に面する要素１３２の露呈した側面には、第１ブロック１０２の凹部１１４に嵌合する第１形態接続部としての凸部１３４が設けられている。また、要素１３０の所定の箇所には、第１ブロック１０２の凹部１１５に嵌合する第２形態接続部としての凸部１３５が設けられている。
【００３９】
図８に示すように、第１ブロック１０２及び第２ブロック１０３がそれぞれ第２形態にある状態で、第１ブロック１０２の凹部１１５と第２ブロック１０３の凸部１３５とが嵌合され、第１ブロック１０２及び第２ブロック１０３が互いに接続されることにより、象形体１０４が構成される。この象形体１０４は、それぞれ第１形態にある第１ブロック１０２及び第２ブロック１０３が各々の第１形態接続部（凹部１１４、凸部１３４）を介して接続された際に表出される文字列「サル」で示される生物をかたどったものとなっている。
【００４０】
図９から図１２は、本発明の実施形態を説明するための組ブロック玩具の他の例を示す。
【００４１】
図９に示す組ブロック玩具２０１は、扁平な第１ブロック２０２及び第２ブロック２０３を備えている。第１ブロック２０２は、正面視で片仮名文字の「ゾ」の形状を呈しており、第２ブロック２０３は、正面視で片仮名文字の「ウ」の形状を呈している。第１ブロック２０２及び第２ブロック２０３が、この順に左横書き方向に並べられた際には、文字列「ゾウ」が表出される。
【００４２】
図１０に示すように、第１ブロック２０２は、厚み方向に第１ブロック２０２を二分する面に関して略対称をなす６つの構成片２１０ａ，２１０ｂ，２１１ａ，２１１ｂ，２１２ａ，２１２ｂ、及び構成片２１３からなり、対をなす構成片２１０ａ，２１０ｂは互いに一体に組み付けられて単一の要素２１０を構成している。
【００４３】
構成片２１１ａは、要素２１０の構成片２１０ａに設けられた軸部に係合し、分離不能に且つこの軸部の中心線２２０ａを中心に回転可能に構成片２１０ａに連結されており、構成片２１１ｂは、要素２１０の構成片２１０ｂに設けられた軸部に係合し、分離不能に且つこの軸部の中心線２２０ｂを中心に回転可能に構成片２１０ｂに連結されている。構成片２１２ａは、構成片２１１ａに設けられた軸部に係合し、分離不能に且つこの軸部の中心線２２１ａを中心に回転可能に構成片２１１ａに連結されており、構成片２１２ｂは、構成片２１１ｂに設けられた軸部に係合し、分離不能に且つこの軸部の中心線２２１ｂを中心に回転可能に構成片２１１ｂに連結されている。そして、構成片２１３は、要素２１０の構成片２１０ａ，２１０ｂに挟まれるようにして要素２１０に組み付けられ、要素２１０に設けられた軸部に係合し、分離不能に且つこの軸部の中心線２２２を中心に回転可能に要素２１０に連結されている。
【００４４】
第１ブロック２０２は、以上の各構成片の相対移動（回転）を伴って、「ゾ」の形状を呈する第１形態から、図１２に示す第２形態に変化する。第１形態にある第１ブロック２０２において、文字列「ゾウ」が表出されるように第１ブロック２０２及び第２ブロック２０３が左横書き方向に並べられた際に第２ブロック２０３に面する要素２１０の露呈した側面には、第１形態接続部としての凸部２１４が設けられている。また、要素２１３の所定の箇所には、第２ブロック２０３と接続される第２形態接続部としての凸部２１５が設けられている。
【００４５】
図１１に示すように、第２ブロック２０３は、厚み方向に第２ブロック２０３を二分する面に関して略対称をなす６つの構成片２３０ａ，２３０ｂ，２３１ａ，２３１ｂ，２３２ａ，２３２ｂ、及び構成片２３３からなり、対をなす構成片２３０ａ，２３０ｂは、互いに一体に組み付けられて単一の要素２３０を構成しており、同じく対をなす構成片２３１ａ，２３１ｂ、及び対をなす構成片２３２ａ，２３２ｂもまた、単一の要素２３１，２３２をそれぞれ構成している。
【００４６】
要素２３１の構成片２３１ａ，２３１ｂは、要素２３０を挟むようにして要素２３０に組み付けられ、要素２３０に設けられた軸部に係合し、分離不能に且つこの軸部の中心線２４０を中心に回転可能に要素２３０に連結されている。要素２３２の構成片２３２ａ，２３２ｂは、要素２３１を挟むようにして要素２３１に組み付けられ、要素２３１に設けられたガイド部２４１（図１２参照）に係合し、分離不能に且つガイド部２４１に沿って並進移動可能に要素２３１に連結されている。構成片２３３は、要素２３１の構成片２３１ａ，２３１ｂに挟まれるようにして要素２３１に組み付けられ、要素２３１に設けられた軸部に係合し、分離不能に且つこの軸部の中心線２４２を中心に回転可能に要素２３１に組み付けられている。
【００４７】
第２ブロック２０３は、以上の各構成片の相対移動（回転又は並進移動）を伴って、「ウ」の形状を呈する第１形態から、図１２に示す第２形態に変化する。第１形態にある第２ブロック２０３において、文字列「ゾウ」が表出されるように第１ブロック２０２及び第２ブロック２０３が左横書き方向に並べられた際に第１ブロック２０２に面する要素２３０の露呈した側面には、第１ブロック２０２の凸部２１４に嵌合する第１形態接続部としての凹部２３４が設けられている。また、要素２３１の所定の箇所には、第１ブロック２０２の凸部２１５に嵌合する第２形態接続部としての凹部２３５が設けられている。
【００４８】
図１２に示すように、第１ブロック２０２及び第２ブロック２０３がそれぞれ第２形態にある状態で、第１ブロック２０２の凸部２１５と第２ブロック２０３の凹部２３５とが嵌合され、第１ブロック２０２及び第２ブロック２０３が互いに接続されることにより、象形体２０４が構成される。この象形体２０４は、それぞれ第１形態にある第１ブロック２０２及び第２ブロック２０３が各々の第１形態接続部（凸部２１４、凹部２３４）を介して接続された際に表出される文字列「ゾウ」で示される生物をかたどったものとなっている。
【００４９】
なお、第１形態にある第１ブロック２０２が呈する「ゾ」の文字において、本来の文字として表記した場合に離れている部分の間の部分に相当する第１ブロック２０２の構成片２１１ａ，２１１ｂは、文字において離れている部分の間の部分が窪むように、これらの構成片２１１ａ，２１１ｂを除く他の構成片よりも薄く形成されている。それにより、離れた部分を有する文字を、文字として認識可能な形態で、単一のブロックにより一体的に構成することができる。
【００５０】
図１３から図１６は、本発明の実施形態を説明するための組ブロック玩具の他の例を示す。
【００５１】
図１３に示す組ブロック玩具３０１は、扁平な第１ブロック３０２及び第２ブロック３０３を備えている。第１ブロック３０２は、正面視で片仮名文字の「ト」の形状を呈しており、第２ブロック３０３は、正面視で片仮名文字の「リ」の形状を呈している。第１ブロック３０２及び第２ブロック３０３が、この順に左横書き方向に並べられた際には、文字列「トリ」が表出される。
【００５２】
図１４に示すように、第１ブロック３０２は、厚み方向に第１ブロック３０２を二分する面に関して略対称をなす４つの構成片３１０ａ，３１０ｂ，３１１ａ，３１１ｂ、及び構成片３１２からなり、対をなす構成片３１０ａ，３１０ｂは互いに一体に組み付けられて単一の要素３１０を構成しており、同じく対をなす構成片３１１ａ，３１１ｂもまた単一の要素３１１を構成している。
【００５３】
要素３１１は、構成片３１２を介して要素３１０に接続されており、構成片３１２は、要素３１０の構成片３１０ａ，３１０ｂに挟まれるようにして要素３１０に組み付けられ、要素３１０に設けられた軸部に係合し、分離不能に且つこの軸部の中心線３２０を中心に回転可能に要素３１０に連結されている。そして、要素３１１の構成片３１１ａ，３１１ｂは、構成片３１２を挟むようにして構成片３１２に組み付けられ、構成片３１２に設けられた軸部に係合し、分離不能に且つこの軸部の中心線３２１を中心に回転可能に構成片３１２に連結されている。
【００５４】
第１ブロック３０２は、以上の各構成片の相対移動（回転）を伴って、「ト」の形状を呈する第１形態から、図１６に示す第２形態に変化する。第１形態にある第１ブロック３０２において、文字列「トリ」が表出されるように第１ブロック３０２及び第２ブロック３０３が左横書き方向に並べられた際に第２ブロック３０３に面する要素３１０の露呈した側面には、第１形態接続部としての凸部３１３が設けられている。また、要素３１１の所定の箇所には、第２ブロック３０３と接続される第２形態接続部としての凹部３１４が設けられている。
【００５５】
図１５に示すように、第２ブロック３０３は、厚み方向に第２ブロック３０３を二分する面に関して略対称をなす４つの構成片３３０ａ，３３０ｂ，３３１ａ，３３１ｂからなる。
【００５６】
対をなす構成片３３１ａ，３３１ｂは、同じく対をなす構成片３３０ａ，３３０ｂに挟まれるようにして設けられている。構成片３３１ａは、構成片３３０ａに設けられた軸部に係合し、分離不能に且つこの軸部の中心線３４０ａを中心に回転可能に構成片３３０ａに連結されており、構成片３３１ｂは、構成片３３０ｂに設けられた軸部に係合し、分離不能に且つこの軸部の中心線３４０ｂを中心に回転可能に構成片３３０ｂに連結されている。そして、構成片３３１ａ，３３１ｂは、各々に設けられ且つ互いに係合した軸部によって、分離不能に且つこの軸部の中心線３４１を中心に回転可能に互いに連結されている。
【００５７】
第２ブロック３０３は、以上の各構成片の相対移動（回転）を伴って、「リ」の形状を呈する第１形態から、図１６に示す第２形態に変化する。第１形態にある第２ブロック３０３において、文字列「トリ」が表出されるように第１ブロック３０２及び第２ブロック３０３が左横書き方向に並べられた際に第１ブロック３０２に面する構成片３３０ａ，３３０ｂの露呈した側面には、第１ブロック３０２の凸部３１３に嵌合する第１形態接続部としての凹部３３２が設けられている。また、構成片３３１ａ，３３１ｂを互いに連結している上記軸部の所定の箇所には、第１ブロック３０２の凹部３１４に嵌合する第２形態接続部としての凸部３３３が設けられている。
【００５８】
図１６に示すように、第１ブロック３０２及び第２ブロック３０３がそれぞれ第２形態にある状態で、第１ブロック３０２の凹部３１４と第２ブロック３０３の凸部３３３とが嵌合され、第１ブロック３０２及び第２ブロック３０３が互いに接続されることにより、象形体３０４が構成される。この象形体３０４は、それぞれ第１形態にある第１ブロック３０２及び第２ブロック３０３が各々の第１形態接続部（凸部３１３、凹部３３２）を介して接続された際に表出される文字列「トリ」で示される生物をかたどったものとなっている。
【００５９】
なお、第１形態にある第２ブロック３０３が呈する「リ」の文字において、本来の文字として表記した場合に離れている部分の間の部分に相当する第２ブロック３０３の構成片３３０ａ，３３０ｂ各々の部分３３４ａ，３３４ｂは、文字において離れている部分の間の部分が窪むように、これらの部分３３４ａ，３３４ｂを除く構成片３３０ａ，３３０ｂの他の部分よりも薄く形成されている。
【００６０】
図１７から図２０は、本発明の実施形態を説明するための組ブロック玩具の他の例を示す。
【００６１】
図１７に示す組ブロック玩具４０１は、扁平な第１ブロック４０２及び第２ブロック４０３を備えている。第１ブロック４０２は、正面視で片仮名文字の「リ」の形状を呈しており、第２ブロック４０３は、正面視で片仮名文字の「ス」の形状を呈している。第１ブロック４０２及び第２ブロック４０３が、この順に左横書き方向に並べられた際には、文字列「リス」が表出される。
【００６２】
図１８に示すように、第１ブロック４０２は、厚み方向に第１ブロック４０２を二分する面に関して略対称をなす４つの構成片４１０ａ，４１０ｂ，４１１ａ，４１１ｂ、及び構成片４１２からなり、対をなす構成片４１０ａ，４１０ｂは互いに一体に組み付けられて単一の要素４１０を構成しており、同じく対をなす構成片４１１ａ，４１１ｂもまた単一の要素４１１を構成している。
【００６３】
要素４１１の構成片４１１ａ，４１１ｂは、要素４１０を挟むようにして要素４１０に組み付けられ、要素４１０に設けられたガイド部４２０に係合し、分離不能に且つガイド部４２０に沿って並進移動可能に要素４１０に連結されている。構成片４１２は、要素４１０の構成片４１０ａ，４１０ｂに挟まれるようにして要素４１０に組み付けられ、要素４１０に設けられた軸部に係合し、分離不能に且つこの軸部の中心線４２１を中心に回転可能に要素４１０に連結されている。
【００６４】
第１ブロック４０２は、以上の各構成片の相対移動（回転）を伴って、「リ」の形状を呈する第１形態から、図２０に示す第２形態に変化する。第１形態にある第１ブロック４０２において、文字列「リス」が表出されるように第１ブロック４０２及び第２ブロック４０３が左横書き方向に並べられた際に第２ブロック４０３に面する要素４１０の露呈した側面には、第１形態接続部としての凸部４１３が設けられている。また、構成片４１２の所定の箇所には、第２ブロック４０３と接続される第２形態接続部としての凸部４１４が設けられている。
【００６５】
図１９に示すように、第２ブロック４０３は、厚み方向に第２ブロック４０３を二分する面に関して略対称をなす８つの構成片４３０ａ，４３０ｂ，４３１ａ，４３１ｂ，４３２ａ，４３２ｂ，４３３ａ，４３３ｂ、及び構成片４３４からなり、対をなす構成片４３０ａ，４３０ｂは互いに一体に組み付けられて単一の要素４３０を構成しており、同じく対をなす構成片４３２ａ，４３２ｂ、及び対をなす４３３ａ，４３３ｂもまた単一の要素４３２，４３３をそれぞれ構成している。
【００６６】
構成片４３１ａは、要素４３０の構成片４３０ａに設けられた軸部に係合し、分離不能に且つこの軸部の中心線４４０ａを中心に回転可能に構成片４３０ａに連結されており、構成片４３１ｂは、要素４３０の構成片４３０ｂに設けられた軸部に係合し、分離不能に且つこの軸部の中心線４４０ｂを中心に回転可能に構成片４３０ｂに連結されている。要素４３２の構成片４３２ａ，４３２ｂは、要素４３０を挟むようにして要素４３０に組み付けられ、要素４３０に設けられた軸部に係合し、分離不能に且つこの軸部の中心線４４１を中心に回転可能に要素４３０に連結されている。要素４３３は、構成片４３４を介して要素４３０に接続されており、構成片４３４は、要素４３０の構成片４３０ａ，４３０ｂに挟まれるようにして要素４３０に組み付けられ、要素４３０に設けられたガイド部４４２に係合し、分離不能に且つこのガイド部４４２に沿って並進移動可能に要素４３０に連結されている。そして、要素４３２の構成片４３２ａ，４３２ｂは、構成片４３４を挟むようにして構成片４３４に組み付けられ、構成片４３４に設けられた軸部に係合し、分離不能に且つこの軸部の中心線４４３を中心に回転可能に構成片４３４に連結されている。
【００６７】
第２ブロック４０３は、以上の各構成片の相対移動（回転又は並進移動）を伴って、「ス」の形状を呈する第１形態から、図２０に示す第２形態に変化する。第１形態にある第２ブロック４０３において、文字列「リス」が表出されるように第１ブロック４０２及び第２ブロック４０３が左横書き方向に並べられた際に第１ブロック４０２に面する構成片４３１ａ，４３１ｂの露呈した側面には、第１ブロック４０２の凸部４１３に嵌合する第１形態接続部としての凹部４３５が設けられている。また、要素４３３の所定の箇所には、第１ブロック４０２の凸部４１４に嵌合する第２形態接続部としての凹部４３６が設けられている。
【００６８】
図２０に示すように、第１ブロック４０２及び第２ブロック４０３がそれぞれ第２形態にある状態で、第１ブロック４０２の凸部４１４と第２ブロック４０３の凹部４３６とが嵌合され、第１ブロック４０２及び第２ブロック４０３が互いに接続されることにより、象形体４０４が構成される。この象形体４０４は、それぞれ第１形態にある第１ブロック４０２及び第２ブロック４０３が各々の第１形態接続部（凸部４１３、凹部４３５）を介して接続された際に表出される文字列「リス」で示される生物をかたどったものとなっている。
【００６９】
なお、第１形態にある第１ブロック４０２が呈する「リ」の文字において、本来の文字として表記した場合に離れている部分の間の部分に相当する第１ブロック４０２の要素４１０のガイド部４２０は、文字において離れている部分の間の部分が窪むように、このガイド部４２０を除く要素４１０の他の部分及び要素４１１よりも薄く形成されている。
【００７０】
以上の組ブロック玩具１０１，２０１，３０１，４０１においても、各ブロックが文字の形状を呈する第１形態と第１形態とは異なる第２形態との間で変形可能であり、それらのブロックを互いに接続して構成される象形体の表現の幅を広げることができる。そして、各ブロックの第１形態及び第２形態の間の変形は、互いに分離不能に連結された複数の構成片の相対移動によってなされ、取り扱いが容易であり、構成片の紛失も防止することができる。
【００７１】
なお、本実施の形態では、文字の形状として片仮名の場合を説明したが、これに限られることはなく、ひらがな、アルファベット、漢字など様々な言語の文字に適用することが可能である。また、本実施の形態では、ブロックを互いに接続して構成される象形体の形状として動物の場合を説明したが、これに限られることはなく、人型、キャラクタ等の仮想生命体などの生物を表す形象体や、車、飛行体等の無生物を表す形象体などに適用することも可能である。また、各ブロックを構成する構成片は、相対移動する際に分離しない状態で変形可能なものであればよく、本実施の形態に示すものに限られるものではない。
【００７２】
なお、組ブロック玩具１，１０１，２０１，３０１，４０１は、いずれも２つのブロックによって構成されているが、本発明の組ブロック玩具は３つ以上のブロックを用いて構成されてもよい。
【符号の説明】
【００７３】
１     組ブロック玩具
２     第１ブロック
３     第２ブロック
４     象形体
１０ａ，１０ｂ 構成片
１１ａ，１１ｂ 構成片
１２   凸部（第１形態接続部）
１３   凹部（第２形態接続部）
３０ａ，３０ｂ 構成片
３１ａ，３１ｂ 構成片
３２ａ，３２ｂ 構成片
３３ａ，３３ｂ 構成片
３４   構成片
３５   凹部（第１形態接続部）
３６   凸部（第２形態接続部）
【図１】
2014233506.tif 000003
【図２】
2014233506.tif 000004
【図３】
2014233506.tif 000005
【図４】
2014233506.tif 000006
【図５】
2014233506.tif 000007
【図６】
2014233506.tif 000008
【図７】
2014233506.tif 000009
【図８】
2014233506.tif 000010
【図９】
2014233506.tif 000011
【図１０】
2014233506.tif 000012
【図１１】
2014233506.tif 000013
【図１２】
2014233506.tif 000014
【図１３】
2014233506.tif 000015
【図１４】
2014233506.tif 000016
【図１５】
2014233506.tif 000017
【図１６】
2014233506.tif 000018
【図１７】
2014233506.tif 000019
【図１８】
2014233506.tif 000020
【図１９】
2014233506.tif 000021
【図２０】
2014233506.tif 000022